(57)【要約】【課題】部品点数の増大や光軸方向の厚型化を避けながら、安定した開閉操作を行なうことを可能としたレンズキャップを提供すること。【解決手段】開口部を有し、光学系を有するレンズ鏡筒に対し着脱可能な地板、地板に対し回転可能な操作部材、操作部材の回転に伴って、開口部を露出可能な開状態と、開口部を覆うことの可能な閉状態とを切り替えることのできるバリア部材、で構成され、地板もしくは操作部材に弾性変形部を備え、該弾性変形部は、変形量に応じて操作部材を地板に組立可能にする第１の状態、および第１の状態よりも変形量が小さく、操作部材の回転移動を規制する第２の状態がとれることを特徴とする。【選択図】図１
2016029422.tif 000002
【特許請求の範囲】
【請求項１】
開口部を有し、光学系を有するレンズ鏡筒に対し着脱可能な地板、
地板に対し回転可能な操作部材、
操作部材の回転に伴って、開口部を露出可能な開状態と、開口部を覆うことの可能な閉状態とを切り替えることのできるバリア部材、
で構成され、
地板もしくは操作部材に弾性変形部を備え、
該弾性変形部は、変形量に応じて操作部材を地板に組立可能にする第１の状態、および第１の状態よりも変形量が小さく、操作部材の回転移動を規制する第２の状態がとれることを特徴とするレンズキャップ。
【請求項２】
前記操作部材は、前記地板はレンズ鏡筒に対して回転不能に固定可能であることを特徴とする請求項１に記載のレンズキャップ。
【請求項３】
前記弾性変形部は、前記操作部材の回転軸方向の剛性が、周方向の剛性に比べて小さい
ことを特徴とする請求項１又は請求項２に記載のレンズキャップ。
【請求項４】
前記弾性変形部が第２の状態では前記地板がレンズ本体に対して回転不能であり、
さらに前記弾性変形部は、変形量に応じて前記地板がレンズ本体に対して回転可能となる第３の状態をとれることを特徴とする請求項１乃至請求項３の何れか一項に記載のレンズキャップ。
【請求項５】
前記操作部材の角度位置により、前記弾性変形部を第３の状態に変形可能な状態と、第３の状態に変形不能な状態を切り替えることを特徴とする請求項１乃至請求項４の何れか一項に記載のレンズキャップ。
【請求項６】
前記弾性変形部の弾性力を開状態近傍では開状態への付勢力に変換し、閉状態近傍では閉状態への付勢力に変換する変換手段を有することを特徴とする請求項１乃至請求項５の何れか一項に記載のレンズキャップ。
【請求項７】
前記バリア部材は、前記地板および前記操作部材によって形成される収納部に配置されることを特徴とする請求項１乃至請求項６の何れか一項に記載のレンズキャップ。
【発明の詳細な説明】
【技術分野】
【０００１】
本発明は、レンズ鏡筒に着脱可能であり、開閉操作の可能なレンズキャップに関する。
【背景技術】
【０００２】
従来から、カメラなどに用いられる光学系のレンズ保護を目的として、鏡筒と一体化させたレンズバリアが用いられている。これにより、バリアを開くことで撮影可能とし、バリアを閉じることでレンズの保護と可能としている。しかし、鏡筒と一体化したレンズバリアでは、レンズバリアが不要なときでも着脱不能であるため、鏡筒の薄型化が阻害されるという問題がある。
【０００３】
一方、特許文献１のように、レンズ鏡筒に着脱可能であり、開閉操作の可能なレンズキャップがある。これにより、キャップをレンズ鏡筒に取り付けた状態であっても速やかに撮影可能状態にすることができる。また、レンズの使用時に邪魔になるときは、レンズキャップを外すことができる。
【先行技術文献】
【特許文献】
【０００４】
【特許文献１】特開2005-128125号公報
【発明の概要】
【発明が解決しようとする課題】
【０００５】
特許文献１で開示されている従来のレンズキャップでは、開閉操作時にキャップを弾性変形させている。キャップに樹脂材料を用いた場合は、樹脂材料の持つ粘弾性的性質により、弾性変形部にクリープ現象や疲労が現れる。このため長期間使用後には、閉状態を安定して保持させるための十分な弾性力を保有させることが困難である、という問題があった。
【０００６】
そこで、本発明は、部品点数の増大や光軸方向の厚型化を避けながら、安定した開閉操作を行なうことを可能としたレンズキャップを提供することを目的とする。
【課題を解決するための手段】
【０００７】
本発明のレンズキャップの構成は、
開口部を有し、光学系を有するレンズ鏡筒に対し着脱可能な地板、
地板に対し回転可能な操作部材、
操作部材の回転に伴って、開口部を露出可能な開状態と、開口部を覆うことの可能な閉状態とを切り替えることのできるバリア部材、
で構成され、
地板もしくは操作部材に弾性変形部を備え、
該弾性変形部は、変形量に応じて操作部材を地板に組立可能にする第１の状態、および第１の状態よりも変形量が小さく、操作部材の回転移動を規制する第２の状態がとれる
ことを特徴とする。
【発明の効果】
【０００８】
本発明によれば、地板の一部を弾性変形させて操作部材を組立可能とすることで、部品点数の増大やレンズキャップの厚型化を避けることができる。また、開閉操作時に弾性変形を利用しないため、長期間使用後にも安定した操作を行なうことができる。
【図面の簡単な説明】
【０００９】
【図１】本発明の第１の実施例のレンズキャップの分解斜視図である。
【図２】図１のレンズキャップを反対側から見た分解斜視図である。
【図３】図１のレンズキャップの光軸と平行な面における断面図である。
【図４】地板の正面図である。
【図５】組立後のレンズキャップの斜視図である。
【図６】組立後の弾性変形部の部分の斜視図である。
【図７】本発明の第２の実施例のレンズキャップの分解斜視図である。
【図８】図７のレンズキャップを反対側から見た分解斜視図である。
【図９】図８のレンズキャップの光軸と平行な面における断面図である。
【図１０】図７のレンズキャップの正面図である。
【図１１】本発明の第３の実施例のレンズキャップの分解斜視図である。
【図１２】図１１のレンズキャップを反対側から見た分解斜視図である。
【図１３】本発明の第４の実施例のレンズキャップの分解斜視図である。
【図１４】図１３のレンズキャップを反対側から見た分解斜視図である。
【発明を実施するための形態】
【００１０】
以下に、本発明の好ましい実施の形態を、添付の図面に基づいて詳細に説明する。
【００１１】
［実施例１］
図１ないし図６を参照して、本発明で提案するレンズキャップ１００ついて説明する。図１は、レンズ鏡筒１１０に取り付けられるレンズキャップ１００の部品構成を示す分解斜視図である。図２は、図１の反対側から見た、レンズキャップ１００のみの分解斜視図である。図３は、光軸と平行な面でのレンズキャップの断面図であり、（A）は開状態における回転軸１０１１を通る断面、（B）は閉状態における抜け止め部１０２を通る断面である。なお、図１以外のレンズ鏡筒１１０は、一部のみを示している。図４は地板１０１の正面図である。図５は、組立後のレンズキャップの斜視図である。図６は、組立後の弾性変形部の部分の斜視図である。
【００１２】
図に示すように、レンズキャップ１００は、地板１０１、操作部材１０２、バリア部材１０３から構成される。以降の説明では、光軸方向のキャップ側を前側、レンズ鏡筒側を後側と呼ぶことにする。
【００１３】
地板１０１は、概略円盤状に形成され、中央に開口部を有する。地板１０１は、光軸方向に伸びるバリア部材１０２と同数の回転軸１０１１を有する。回転軸１０１１はバリア部材を回転可能に支持することができる。また地板１０１は、バリア部材の軌道外となる円盤部の一部が弾性変形部１０１２となっている。弾性変形部１０１２は、光軸方向の厚さが薄く、光軸方向に弾性変形しやすい形状となっている。本実施例では、弾性変形部１０１２を2つのバリア部材の間の位相に来るように配置している。これにより、バリア部材がどの位置にあるときも、弾性変形部と干渉することを避けることができる。
【００１４】
弾性変形部１０１２の外周側には、レール部１０１３が形成される。レール部１０１３は、操作部材のバヨネット爪と係合することができる。また、地板１０１の外周部は取り付けネジ部１０１４となっており、レンズ鏡筒１１０の一部に設けられためねじ部に螺合することができる。
【００１５】
操作部材１０２は、概略円盤状に形成され、中央に開口部を有する。操作部材１０２は外周部を地板１０１に回転可能に軸支される。また操作部材１０２の後側には、バヨネット爪１０２１が形成される。バヨネット爪１０２１は、レール部１０１３と係合することで、抜け止めとして機能する。また操作部材１０２は、底面にカム溝１０２２を有している。カム溝１０２２はバリア部材に設けた駆動ダボ１０３２と嵌合することで、光軸を回転中心とする操作部材の回転移動を、回転軸１０１１回りのバリア部材の回転移動へと変換することができる。
【００１６】
また操作部材１０２の後側にはロック逃げ溝１０２３が設けられている。ロック逃げ溝１０２３は、操作部材１０２が特定の位相にあるときに、弾性変形部１０１２を前側に移動させることを可能にしている。本実施例では、バリア部材１０３が閉状態にあるときに弾性変形部１０２の先端とロック逃げ溝１０２３が光軸方向に重なるように配置している。
【００１７】
バリア部材１０３は遮光性の薄いシートで形成され、本実施利では2枚のバリア部材を用いている。回転穴１０３１によって地板に設けられた回転軸１０１１と嵌合し、地板に対して回転可能に支持される。バリア部材を一方の端に回転させたときは、地板および操作部材の開口部より退避し、レンズ鏡筒に光を通すことができる。この状態を開状態とする。
【００１８】
他方の端に回転させたときは、複数のバリア部材が重なり合うことで地板および操作部材の開口部を覆うことができ、レンズ鏡筒の光学部品を保護することができる。この状態を閉状態とする。バリア部材は外力を受けたときでも光学部品を保護できるよう、十分な強度を持つ必要がある。また、バリア部材は駆動ダボ１０３２を有する。駆動ダボ１０３２を操作部材のカム溝と嵌合させることで、バリア部材は操作部材の回転にしたがって回転穴１０２１を中心に回転移動をする。
【００１９】
鏡筒１１０には、地板１０１の取り付けネジ部と螺合可能なめねじ部１１０１を備える。また、めねじ部１１０１の一部に回転ロック溝１１０２を備える。回転ロック溝１１０２は、弾性変形部１０１２の最外周部と嵌合することで、地板を鏡筒に対して回転不能とすることができる。
【００２０】
次に本発明で提案するレンズキャップの組み立てについて説明する。まず、地板１０１の回転軸に、2枚のバリア部材１０３を開状態になるように回転穴１０３１と回転軸１０１１を嵌合させる。
【００２１】
そして操作部材１０２の組立の際には、弾性変形部を光軸方向前側に裏側に押し込むことで弾性変形させ、バヨネット爪がレールに引っかかるようにする。弾性変形部がこの状態にあるときが請求項で言うところの第１の状態である。
【００２２】
図５に弾性部の変径方向を矢印で示す。操作部材を回転させ、バヨネット爪をレール部に組み立てると弾性変形部は自然状態（無負荷状態）に戻る。弾性変形部がこの状態にあるときが請求項で言うところの第２の状態である。
【００２３】
弾性変形部は光軸方向に弾性変形しやすく、周方向には変形しにくい形状であるため、組立後はバヨネット爪と接触することで操作部材の回転端として機能する。図５に、組立後のレンズキャップを後側からの斜視図を示す。
【００２４】
レンズキャップ１００のレンズ鏡筒１１０への固定には、取り付けネジ部１０１４とめねじ部１１０１とを利用する。操作部材への回転操作によって、地板が回転してしまうと、ユーザーが意図しないときにレンズキャップが外れてしまうという問題がある。これを防ぐために、地板とレンズ鏡筒の間に、回転止め手段が必要である。
【００２５】
本実施例では、弾性変形部１０１１の先端を回転ロック溝１１０２に嵌合させることにより、地板のレンズ鏡筒に対する回転止めを実現している。
【００２６】
一方レンズキャップをレンズ鏡筒に締結するときは、この回転止めは邪魔になる。本実施例では、弾性変形部を前側に変形させることで、弾性変形部とレンズ鏡筒との干渉を避けることができ、レンズキャップを取り付けることができる。弾性変形部がこの状態にあるときが請求項で言うところの第３の状態である。
【００２７】
本実施例では、前述のようにバリア部材が閉状態にあるときに、弾性変形部はロック逃げ溝と重なり、前側へ移動可能となる。図６に、弾性変形部とロック逃げ部が重なった状態の斜視図を示す。
【００２８】
バリア部材が他の位置にあるときは、弾性変形部は操作部材に規制され前側へ移動することができない。このためレンズキャップの着脱は、バリア部材を閉状態にして、弾性変形部を前側に移動させて行なう。すなわち、操作部材の角度位置によって、第３の状態への切り替え可能および切り替え不能を変更することができる。これにより、ユーザーが意図しないときにレンズキャップが外れてしまうことを防止することができる。
【００２９】
バリア部材の開閉動作には、操作部材を回転させることにより実現できる。操作部材を回転させると、バリア部材はカム溝１０２２より作用を受け、回転軸１０１１を中心軸として回転をする。操作部材の回転可能範囲はレール１０１３の端部および弾性変形部１０１１によって規制される。カム溝１０２２は、操作部材が一方の端にあるときにバリア部材は閉状態となり、他方の単にあるときにバリア部材は開状態となるように設定されている。
【００３０】
本発明の効果について述べる。本発明では、弾性変形部を後側に変形させることでバヨネット爪をレールに係合している。組立後に弾性変形部が自然状態に戻ると、弾性変形部はバヨネット爪に対して回転端として働く。これにより、操作部材と地板との結合に、ビスや他の部品を用いる必要が無く、部品点数の増加や光軸方向の厚型化を避けることができる。
【００３１】
また本発明では、主に摩擦力によって開状態、閉状態のそれぞれの保持を行なっている。このため、長期間使用後に、クリープ現象や疲労などで弾性変形部の弾性力が低下しても、開状態、閉状態のそれぞれを安定して保持させることができる。
【００３２】
また本発明では、操作部材と地板はほぼ同径であり、操作部材の回転軸は地板の中心軸と一致している。これにより、操作部材の回転位置によらずに地板と操作部材でバリア部材の収納部を形成することができる。すなわち、操作部材がバリア部材の蓋を兼ねている。このため、バリア部材を収納するために新たに部品を追加することを避け、省部品化や薄型化を実現している。
【００３３】
また本発明では、弾性変形部を弾性変形させるのは、組立時とレンズキャップ着脱時である。開閉操作時には弾性変形させることはない。一般的な使用状態では、組立やレンズキャップ着脱の頻度は、開閉操作の頻度に比べてはるかに少ない。したがって長期間の使用にあっても、クリープ現象や疲労の発生が少なく、安定した操作を実現することができる。
【００３４】
さらに本実施例では、弾性変形部の一部を外周に伸ばすことで、鏡筒に設けた回転防止溝と嵌合させ、レンズキャップをレンズ鏡筒に対して回転不能とすることができる。これにより部品をあらたに設けることが無く、レンズキャップの着脱可能状態、着脱不能状態を選択することができ、開閉操作時にレンズキャップが外れてしまうことを防止することができる。
【００３５】
［実施例２］
次に本発明の第２の実施例に係るレンズキャップ２００を、図７ないし図１０を用いて説明する。なお、前記実施例と同じ個所については、同じ番号を付すことによって説明を省く。
【００３６】
図７は、レンズ鏡筒１１０に取り付けられるレンズキャップ２００の部品構成を示す分解斜視図である。図８は、図７の反対側から見た、レンズキャップ２００のみの分解斜視図である。図９は、光軸と平行な面でのレンズキャップの断面図である。図１０は、レンズキャップの正面図であり、（Ａ）は開状態、（Ｂ）は閉状態である。
【００３７】
図に示すように、レンズキャップ２００は、地板２０１、操作部材２０２、バリア部材１０３、取り付けねじ２０４から構成される。
【００３８】
地板２０１は、弾性変形部２０１１の先端に、クリックダボ２０１２を有する。クリックダボ２０１２は先端が球面状の突起である。また地板２０１の外周は、取り付けねじ２０４を回転可能に保持可能な軸部になっている。
【００３９】
また地板２０１の後側には、回転止め溝２０１３が設けられている。回転止め溝２０１２は、レンズ鏡筒１１０に設けられた回転止めダボ１１０３と嵌合することで、地板２０１がレンズ鏡筒１１０に対して回転することを防止している。その他は第１の実施例の地板１０１と同様である。
【００４０】
操作部材２０２は、後側にクリック溝２０２１を有する。クリック溝２０２１は、溝内に凹凸が設けられ、組立後にクリックダボ２０１２と接触する。クリック溝２０２１の凹凸をクリックダボが弾性変形しながら乗り越える際に、操作部材への操作トルクを大きくすることができる。
【００４１】
操作部材２０２の外周は、角度によって取り付けネジ２０４よりも径が大きい部分と小さい部分がある。これにより、操作部材２０２と取り付けネジ２０４の双方を、操作時に外径側からつまみやすくしている。その他は第１の実施例の操作部材１０２と同様である。取り付けネジ２０４は、概略円環状であり、外周部におねじ部を有する。また内周部は地板の外周部と嵌合することで、地板に対して３６０°回転可能に軸支される。
【００４２】
本実施例では、取り付けネジ２０４を地板２０１に乗せた状態で、操作部材を地板に取り付ける。これにより、取り付けネジ２０４は地板２０１と操作部材２０２に挟み込まれ、一体となる。このとき取り付けネジ２０４は、操作部材および地板に対して全周回転可能となっている。
【００４３】
レンズキャップのレンズ鏡筒への取り付けは、回転止め溝２０１２を回転止めダボ１１０３に嵌合させながら、取り付けネジのおねじ部を鏡筒のめねじ部に螺合させることにより行なう。これにより操作部材を回転させても地板がレンズ鏡筒から外れてしまうことは無い。レンズキャップをレンズ鏡筒から取り外す際は、上記の反対の操作をする。
【００４４】
本実施例では、第１の実施例で述べた効果に以下のような効果が加わる。本実施例ではクリック溝２０２１の凹凸を適当な形状にすることにより、開状態および閉状態から操作部材を回転させるための操作トルクを大きくし、開状態や閉状態を安定位置としている。これにより、操作部材が振動などで開状態や閉状態から動いてしまうことを防止することができる。すなわち、クリック溝２０２１は、請求項で言うところの変換手段として機能している。
【００４５】
本発明では弾性変形部２０２の先端をクリックダボとしたため、新たに部品を追加することなしにこの機能を実現できる。
【００４６】
［実施例３］
次に本発明の第３の実施例に係るレンズキャップ３００を、図１１ないし図１２を用いて説明する。図１１は、レンズ鏡筒１１０に取り付けられるレンズキャップ３００の部品構成を示す分解斜視図である。図１２は、図１１の反対側から見た、レンズキャップ３００のみの分解斜視図である。
【００４７】
図に示すように、レンズキャップ３００は、地板３０１、操作部材３０２、バリア部材３０３、取り付けクリップ３０４から構成される。
【００４８】
本実施例では、バリア部材を３枚用いている。これにより、バリア部材を薄型化しても、閉状態にしたときに３枚重なることにより、バリア部材全体の強度を保つことができる。このように、本発明はバリア部材の枚数によらずに利用することができる。
【００４９】
また、本実施例ではレンズキャップ３００をレンズ鏡筒に取り付ける際に、取り付けクリップ３０４を用いている。取り付けクリップ３０４は、外周からつまむことにより弾性変形させることで、レンズ鏡筒に設けられためねじ部に引っかかり、レンズ鏡筒と固定することができる。取り付けクリップ３０４を地板に組み立てる際は、取り付けクリップ３０４を大きく変形させることで、地板に設けた収納部に嵌める。本実施例のレンズキャップでも、前述の実施例と同様の効果が実現できる。
【００５０】
［実施例４］
次に本発明の第４の実施例に係るレンズキャップ４００を、図１３ないし図１４を用いて説明する。なお、前記実施例と同じ個所については、同じ番号を付すことによって説明を省く。
図１３は、レンズ鏡筒１１０に取り付けられるレンズキャップ４００の部品構成を示す分解斜視図である。図１４は、図１３の反対側から見た、レンズキャップ４００のみの分解斜視図である。図に示すように、レンズキャップ４００は、地板４０１、操作部材４０２、バリア部材１０３から構成される。
【００５１】
操作部材と地板との組立は、上述の実施例と同様に、いわゆるバヨネット結合によって組み立てる。すなわち、操作部材に設けられたバヨネット爪４０２２を、操作部材に設けられたレール部４０１２の組立位相に合わせ、操作部材を地板に挿入する。このとき、弾性変形部４０２１は、操作部材が組立位置にあるときに弾性変形している。
【００５２】
操作部材を回転させると、バヨネット爪４０２２はレール部上を摺動するようになる。このとき、弾性変形部４０２１は自然長へと戻り、一方の端で地板に設けられた回転止め段サブ４０１１と接触する。これにより、外部から強制的に弾性変形部をさせない限り、操作部材は組立位相まで回転することが無い。
【００５３】
このように、弾性変形部を地板に設けず、操作部材側に設けること方法でも、上述の実施例と同様の効果を実現できる。
【００５４】
以上、本発明の構成は、上記各実施形態に例示したものに限定されるものではなく、材質、形状、寸法、形態、数、配置箇所等は、本発明の要旨を逸脱しない範囲において適宜変更可能である。
【００５５】
本発明は、光学装置のレンズ保護を目的としたレンズキャップに用いることができる。
【符号の説明】
【００５６】
１０１  地板、１０２  操作部材、１０３  バリア部材、１０１０  レンズ鏡筒
【図１】
2016029422.tif 000003
【図２】
2016029422.tif 000004
【図３】
2016029422.tif 000005
【図４】
2016029422.tif 000006
【図５】
2016029422.tif 000007
【図６】
2016029422.tif 000008
【図７】
2016029422.tif 000009
【図８】
2016029422.tif 000010
【図９】
2016029422.tif 000011
【図１０】
2016029422.tif 000012
【図１１】
2016029422.tif 000013
【図１２】
2016029422.tif 000014
【図１３】
2016029422.tif 000015
【図１４】
2016029422.tif 000016